(57)【要約】      （修正有）【課題】合成樹脂シート製の容器本体の周囲を囲繞する枠体を組み合わせるとき、容器本体に形成してあるスタックを回避して容易に組立できる爪仕切容器を提供する。【解決手段】収納凹部２，３を備えた合成樹脂シート製の容器本体１と、この容器本体１の上縁に形成した押さえ溝４に嵌め入れて容器本体１を囲繞する枠体１０とから成り、押さえ溝４には容器本体１相互の重なりを防止するスタック５を設ける。スタック５の近傍に、枠体１０の上縁をスタック５の外方に拡開させる紙押さえリブ６を押さえ溝４に設け、スタック５、紙押さえリブ６それぞれは、押さえ溝４における内側壁部に容器本体１の外方側に膨出状にして形成する。紙押さえリブ６は、平面矩形状である容器本体１における隅部に配したスタック５の近傍に位置させて、押さえ溝４の内側壁部の角位置（６Ａ）、この角位置に近接した両脇位置（６Ｂ）それぞれに配する。【選択図】図１
0003203904.tif 000002
【実用新案登録請求の範囲】
【請求項１】
所定深さの収納凹部を備えた合成樹脂シートで成形された容器本体と、この容器本体の上縁に形成された断面溝形状の押さえ溝に嵌め入れられて容器本体の周囲を囲繞する枠体とから成り、容器本体の押さえ溝には重ね合わせられる容器本体相互の重なりを防止する断面溝形状のスタックが設けられている爪仕切容器において、スタックの近傍に、押さえ溝に嵌め入れるときの枠体の上縁をスタックの外方に拡開させる紙押さえリブを押さえ溝に設けたことを特徴とする爪仕切容器。
【請求項２】
スタック、紙押さえリブそれぞれは、押さえ溝における内側壁部に容器本体の外方側に膨出状にして形成されている請求項１に記載の爪仕切容器。
【請求項３】
紙押さえリブは、平面矩形状である容器本体における隅部に設けたスタックの近傍に配されている請求項１または２に記載の爪仕切容器。
【請求項４】
紙押さえリブは、容器本体の隅部における押さえ溝の内側壁部の角位置、この角位置に近接した両脇位置それぞれに配されていて、角位置の紙押さえリブは断面でほぼ半円形状に、両脇位置の紙押さえリブは断面でほぼ矩形状を呈している請求項２または３に記載の爪仕切容器。
【請求項５】
押さえ溝における紙押さえリブの部位に連続されるようにして、容器本体の側壁における上部には容器本体の底壁部側から容器本体の外方に至るに伴い次第に外方側に膨出する傾斜案内面を備えている請求項１乃至４のいずれかに記載の爪仕切容器。
【考案の詳細な説明】
【技術分野】
【０００１】
この考案は、例えば米飯、副食物等を区画して収納保持できる合成樹脂シート製の容器本体の周囲に例えば木目模様の枠体を囲繞組み合わせて成る爪仕切容器において、重ね合わせられて保管されるときの容器本体に形成されているスタックがあっても、これに干渉されることなく枠体との嵌め合い組立が円滑で、また容器本体と枠体とを強固に嵌め合い固定できるようにした爪仕切容器に関する。
【背景技術】
【０００２】
従来から、所定深さの収納凹部が区画形成された合成樹脂シート製の容器本体と、この容器本体の周縁に収納凹部を囲繞するように組み合わせる枠体とから成る、いわゆる爪仕切容器が各種提供されている。例えば特許文献１に示される商品収納用簡易容器であり、特許文献２に示される組合せ容器である。特許文献１の簡易容器は、成形底板と折り畳み枠材とから成形底板の上端を折り畳み枠材の上端面に嵌合することで成っていて、成形底板の上端に設けた垂下部を折り畳み枠材の外面上方に形成した切り欠けに入り込むものとして成る。特許文献２の容器は、容器本体と枠材とから成っていて、容器本体の上縁に設けた押さえ溝の外側壁に形成した第１の膨出部を、容器本体の押さえ溝に嵌入される枠材の外側面に形成されている凹陥溝に係合させるものとして成る。
【先行技術文献】
【特許文献】
【０００３】
【特許文献１】特許第３２９９４４９号公報
【特許文献２】特開２０１４−２３４１７２号公報
【考案の概要】
【考案が解決しようとする課題】
【０００４】
このようなこれらの従来の容器では、容器本体と周囲を囲繞する枠体とを、これらの上部での嵌合部分において互いに当接する内周面、外周面に形成した凹溝、凸条相互を嵌合させることで強固に組み立てるとしている。すなわち、この種の組合せ容器において、容器本体は所定肉厚の合成樹脂シートに対する真空成形等によって所定深さの収納凹部が適数で区画されることで平面で例えば矩形状を呈したものとして形成され、枠体は例えば木目模様の所定幅員の帯状紙材によって容器本体の外形に沿って容器本体を囲繞するよう枠状を呈したものとして形成されている。
【０００５】
また、これらの従来の容器における合成樹脂シート製の容器本体、紙製等の枠体それぞれは、製造、運送、保管その他での使用される以前は重ね合わせられた状態となっており、例えば調理場その他で弁当材料である米飯、副食材その他を詰めるときに一つ一つ組み合わせられて食品収納容器としての折箱容器として組み立てられる。特に容器本体は合成樹脂シートに対する真空成形等で、溝形状の押さえ溝が上縁周部に形成された上方開放のテーパー状の側壁を有して成形された後に重ね合わせられた状態で所定数で纏められて保管されていても、使用時には１個毎に分離されなければならない。ただ、容器本体が全く同一形状であると重ね合わせられたときには相互間で密着してしまい、分離しがたくなるために、容器本体の重ね合わせられる例えば補強を兼ねて溝形状に形成される前記の押さえ溝には小突部状に形成されたスタックが配置され、しかもこのスタックの位置が容器本体それぞれで異なっていることで、重ねられたとしても相互間に空隙が生じ容器本体それぞれを容易に離反できるようにしている。
【０００６】
ただ、容器本体相互を分離するために形成されるスタックは、容器本体における押さえ溝のいずれの部位であっても良いものではなく、周囲の側壁の半ば位置に配される場合、例えば外方に彎曲して広がることがあると重ねたときに空隙が確保できず、スタックを設ける意味がない。そのため、スタックは側壁が部分的にでも変位しない、容器本体の隅部近傍に配されるのが一般的である。ただ、そうすると、容器本体とは別に形成された枠体と組み合わせるとき、この枠体の隅部では容器本体における隅部近傍のスタックと干渉し、スタックが邪魔になって枠体を容器本体の押さえ溝に嵌め入れ、組み立てることが困難となることがあった。
【０００７】
そこでこの考案は上述したような従来存した諸事情に鑑み案出されたもので、収納凹部が形成された合成樹脂シート製の容器本体に、この容器本体の周囲を囲繞する枠体を組み合わせるとき、容器本体に形成されているスタックを回避して容易に組合せて組立できるようにし、また容器本体における隅部の強度をも増大できて保形性も向上できる爪仕切容器を提供することにある。
【課題を解決するための手段】
【０００８】
上述した課題を解決するため、この考案にあっては、後述する考案を実施するための形態における使用符号を付記して説明すると、所定深さの収納凹部２，３を備えた合成樹脂シートで成形された容器本体１と、この容器本体１の上縁に形成された断面溝形状の押さえ溝４に嵌め入れられて容器本体１の周囲を囲繞する枠体１０とから成り、容器本体１の押さえ溝４には重ね合わせられる容器本体１相互の重なりを防止する断面溝形状のスタック５が設けられている爪仕切容器において、スタック５の近傍に、押さえ溝４に嵌め入れるときの枠体１０の上縁をスタック５の外方に拡開させる紙押さえリブ６を押さえ溝４に設けたことを特徴とする。
スタック５、紙押さえリブ６それぞれは、押さえ溝４における内側壁部に容器本体１の外方側に膨出状にして形成されていることで構成することができる。
紙押さえリブ６は、平面矩形状である容器本体１における隅部に設けたスタック５の近傍に配されていることで構成することができる。
紙押さえリブ６は、容器本体１の隅部における押さえ溝４の内側壁部の角位置、この角位置に近接した両脇位置それぞれに配されていて、角位置の紙押さえリブ６Ａは断面でほぼ半円形状に、両脇位置の紙押さえリブ６Ｂは断面でほぼ矩形状を呈していることで構成することができる。
また、押さえ溝４における紙押さえリブ６の部位に連続されるようにして、容器本体１の側壁における上部には容器本体１の底壁部側から容器本体１の外方に至るに伴い次第に外方側に膨出する傾斜案内面７を備えて構成することができる。
【０００９】
以上のように構成されたこの考案に係る爪仕切容器にあって、容器本体１の上縁に形成された押さえ溝４に設けられた紙押さえリブ６（６Ａ，６Ｂ）は、容器本体１の周囲を囲繞するよう押さえ溝４に枠体１０が嵌め入れられるとき、この枠体１０の上縁部をスタック５の外方に案内させ、スタック５と干渉させずに枠体１０を押さえ溝４内に速やかに嵌合させる。
押さえ溝４における内側壁部に容器本体１の外方側に膨出したスタック５、紙押さえリブ６は、押さえ溝４内に嵌合させた枠体１０との組立を安定化させる。
容器本体１の隅部における押さえ溝４の内側壁部に配された紙押さえリブ６は、隅部の角位置、その両脇位置それぞれに存することで、容器本体１の隅部自体を剛性化して強度を増大させ、また、押さえ溝４内に嵌め入れられる枠体１０を容器本体１の外方側に拡開させて枠体１０の側壁を伸張状態にし、枠体１０の上縁部分の押さえ溝４内にしっくりと嵌合させる。
スタック５の近傍に配置してある紙押さえリブ６に連続させて容器本体１の外方側に膨出している傾斜案内面７は、押さえ溝４内に嵌め入れられるときの枠体１０の上縁部分を傾斜案内面７に沿って外方に拡開させ、枠体１０の上線部分をスタック５に衝接させることなく押さえ溝４の奥部まで案内し、押さえ溝４内にきっちりと嵌合させる。
【考案の効果】
【００１０】
この考案は以上説明したように構成されているため、収納凹部２，３が形成された合成樹脂シート製の容器本体１に、この容器本体１の周囲を囲繞する枠体１０を組み合わせて成る爪仕切容器において、容器本体１、枠体１０それぞれが互いに別に保管されているとき、重ね合わせられる容器本体１相互を容易に分離させるように容器本体１に形成したスタック５を回避して枠体１０を容易に組合せて組立ることができる。しかも、スタック５を回避させるよう設けてある紙押さえリブ６は容器本体１の隅部に配置されていることで、容器本体１における隅部の強度をも増大でき、容器本体１の保形性が向上するから枠体１０との嵌合組立を安定化させるにも役立つ。
【００１１】
すなわち、これはこの考案において、収納凹部２，３を備えた合成樹脂シート製の容器本体１と、この容器本体１の上縁に形成された押さえ溝４に嵌め入れられて容器本体１の周囲を囲繞する枠体１０とから成り、容器本体１の押さえ溝４には容器本体１相互の重なりを防止するスタック５が設けられている爪仕切容器において、スタック５の近傍に、押さえ溝４に嵌め入れるときの枠体１０の上縁をスタック５の外方に拡開させる紙押さえリブ６を押さえ溝４に設けたからである。これによって、スタック５を回避した容器本体１と枠体１０との嵌合組立の容易性、容器本体１の強度向上等を図ることができる。
【００１２】
また、スタック５、紙押さえリブ６それぞれは、断面溝形状の押さえ溝４における内側壁部に容器本体１の外方側に膨出状にして形成されていることで、枠体１０を押さえ溝４内に嵌め入れるとき、この枠体１０の上縁部分を押さえ溝４内の外方側へ案内し、押さえ溝４における外側壁部との間で枠体１０をしっかりと挟むことができ、組立の安定化に役立つ。
【００１３】
スタック５は、平面矩形状である容器本体１における隅部近傍に配されていることで、重ね合わせられるときの容器本体１のそれぞれの分離を確実にしており、また、紙押さえリブ６は、容器本体１における隅部に配されていることで、容器本体１における押さえ溝４自体の補強もでき、総じて容器本体１の保形性を維持し、容器本体１の強度を一層増大できる。
【００１４】
紙押さえリブ６は、容器本体１の隅部における押さえ溝４の内側壁部の角位置、この角位置に近接した両脇位置それぞれに配されていて、角位置の紙押さえリブ６Ａは断面でほぼ半円形状に、両脇位置の紙押さえリブ６Ｂは断面でほぼ矩形状を呈していることで、この隅部に嵌め入れられる枠体１０の隅部分における外方への拡開保持を確実にする。しかも、外方への拡開は、容器本体１の側壁それぞれを伸長させるものとなり、枠体１０を押さえ溝４内にしっくりと嵌合させ、容器本体１と枠体１０との安定、確実な組合せによる組立を実現できる。
【００１５】
さらには、スタック５の近傍に配置してある紙押さえリブ６に連続させて、容器本体１の側壁における上部には容器本体１の底壁部側から容器本体１の外方に至るに伴い次第に外方側に膨出する傾斜案内面７を設けてあるから、押さえ溝４内に枠体１０の上縁部分を嵌め入れるときには、この傾斜案内面７に沿って上縁部分を外方に拡開させ、スタック５に衝接させず、干渉させることなく押さえ溝４の奥部まで案内する。したがって、枠体１０の上縁部分を押さえ溝４内にきっちりと嵌合でき、外部からの衝撃その他によっても枠体１０を容器本体１から容易に離脱させることがない。
【００１６】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１７】
【図１】この考案を実施するための一形態を示す分解斜視図である。
【図２】同じく容器本体の平面図である。
【図３】同じく容器本体における要部拡大平面図である。
【図４】同じく容器本体と枠体との嵌め合わせ時における要部拡大側面図である。
【図５】同じく容器本体における重ね合わせ時の要部側面図である。
【考案を実施するための形態】
【００１８】
以下、図面を参照してこの考案を実施するための一形態を説明すると、図において示される符号１は容器本体であり、図例のように平面外形が例えば長方形の如き矩形状を呈すると共に、深さが異なる大小の第１収納凹部２、第２収納凹部３が区画形成されるように所定肉厚の合成樹脂シートによって成形加工されている。
【００１９】
この容器本体１には、容器本体１の周囲を、すなわち前記第１収納凹部２、第２収納凹部３等の全体周囲を囲繞するようにして、容器本体１の開口部の周縁に形成された断面溝形状の押さえ溝４内に嵌め入れられて容器本体１に組み合わせられる枠体１０が別に設けられており、また容器本体１の開口部は、同じく別に設けられた蓋体２０によって施蓋されるようにしてある。
【００２０】
枠体１０は、例えば収納凹部２，３の深さに比し小さくはない幅員で、所定肉厚の帯状の紙材あるいは合成樹脂板材等によって例えば四角筒状となるよう折曲、接合形成されており、この枠体１０の下縁によって収納物（図示せず）と共に容器本体１を支持できるようにしてある。
【００２１】
また、容器本体１の開口部における押さえ溝４は、下方開放の断面で溝形状に形成されていて、容器本体１の側壁に傾斜部分を介して連続する内側壁部には、容器本体１における隅部位置で容器本体１の外方に膨出状となる断面でほぼ矩形状を呈するスタック５が配設されている。図例にあってのスタック５は平面で長方形状を呈する容器本体１における長辺部分に配設されていて、この容器本体１が成形されるときにはそれぞれにおいて異なる位置となるようにしてあり、重ねられたときにスタック５位置が合致されないように配慮されている（図５参照）。
【００２２】
容器本体１の隅部における押さえ溝４の内側壁部には、スタック５の膨出側と同方向にして容器本体１の外方側に膨出する紙押さえリブ６が設けられている。この紙押さえリブ６は図３に示すように、容器本体１の隅部における角位置（６Ａ）と、この角位置に近接した両脇位置（６Ｂ）、すなわち内側壁部における端部位置それぞれの計３個にして配されていて、角位置の紙押さえリブ６Ａは断面でほぼ半円形状に、両脇位置の紙押さえリブ６Ｂは断面でほぼ矩形状を呈している。また、これらの紙押さえリブ６それぞれは、押さえ溝４における紙押さえリブ６の部位に連続されるようにして、容器本体１の側壁における上部、すなわち前記傾斜部分には容器本体１の底壁部側から容器本体１の外方に至るに伴い次第に外方側に膨出する傾斜案内面７を備えている（図４参照）。
【００２３】
両脇位置の紙押さえリブ６（６Ｂ）は、前記スタック５とは近傍位置にあり、図３に示すように、また後述するようにそれぞれの紙押さえリブ６によって枠体１０を容器本体１の外方に拡開させることで、枠体１０が前記スタック５に干渉させずにスタック５の外方に案内させるようにしている。
【００２４】
また、容器本体１の隅部それぞれの角位置に存する紙押さえリブ６（６Ａ）における外法面それぞれを結ぶ仮想外郭囲繞縁は、枠体１０における内法面幅員に比し小さくはなく、枠体１０が押さえ溝４に嵌め入れられたとき、紙押さえリブ６によって枠体１０を外方側にやや強制的にでも拡開させるようにしている。こうすることで、枠体１０における周囲それぞれの側壁部分は隣接する側壁部分の外方側に牽引、伸張され、側壁部分それぞれが押さえ溝４内にしっくり嵌まり込み、容器本体１との組立を一層強固、安定したものとさせるようにしている。
【００２５】
次に容器本体１と枠体１０との組立を説明すると、適当数で纏めて重ね合わせられていてもスタック５によって分離可能になっている一つの容器本体１を取り出し、この取り出した容器本体１と枠体１０とを組み合わせるとき、枠体１０の上縁を容器本体１の押さえ溝４に嵌め入れれば良い。嵌め入れに際し、枠体１０の隅部が容器本体１の隅部における紙押さえリブ６に当接すると、傾斜案内面７が枠体１０を外方に拡開させるように案内し（図４参照）、紙押さえリブ６によって枠体１０を外方に拡開させる。そして、外方に拡開された枠体１０は紙押さえリブ６の近傍にあるスタック５とは干渉せず、このスタック５の外方に位置されて押さえ溝４内に嵌まり込む（図３参照）。このとき、スタック５の外方に案内された枠体１０の上縁部は、押さえ溝４における外側壁部側に近接ないしは当接し、スタック５による外方への押圧作用とも相俟ち、枠体１０は押さえ溝４内にしっかりと嵌め合わせられる。
【００２６】
また、図示を省略したが、スタック５は容器本体１における隅部の近傍位置に設けることなく、側壁の半ば位置に設けることも可能であり、この場合、このスタック５位置の近傍に紙押さえリブ６が、場合によっては隣接されて設けられることもある。
【００２７】
さらには図示を省略したが、容器本体１は平面での外郭が矩形状に構成されずに三角形、五角形等の多角形状に構成されていることもあり、この場合も同様にスタック５、紙押さえリブ６が設けられる。また容器本体１が平面での外郭が円形状に構成される場合にあっても同様にスタック５、紙押さえリブ６を設けることが可能であり、矩形状に構成される容器本体１における側壁の半ば位置にこれらのスタック５、紙押さえリブ６が設けられる場合と同様にして適数で配される。
【００２８】
また、以上の実施の形態にあっては、スタック５、紙押さえリブ６は、押さえ溝４における内側壁部に設けられる場合として説明したが、これらのスタック５、紙押さえリブ６を押さえ溝４における外側壁部に、容器本体１の内方側に膨出するようにして設けることも可能である。この場合、押さえ溝４内に嵌め入れられる枠体１０の上縁は、容器本体１の内方側に押圧されて押さえ溝４内に嵌合される。
【符号の説明】
【００２９】
１…容器本体                            ２…第１収納凹部
３…第２収納凹部                        ４…押さえ溝
５…スタック                            ６…紙押さえリブ
６Ａ…角位置の紙押さえリブ              ６Ｂ…両脇位置の紙押さえリブ
７…傾斜案内面
１０…枠体
２０…蓋体
【図１】
0003203904.tif 000003
【図２】
0003203904.tif 000004
【図３】
0003203904.tif 000005
【図４】
0003203904.tif 000006
【図５】
0003203904.tif 000007